(57)【特許請求の範囲】
【請求項１】
インバータ回路を介して一方の端子に高電圧が印加され、他方の端子に低電圧が印加される冷陰極管が、複数本平行に並べられて高周波点灯される面光源装置において、
前記インバータ回路が、前記各冷陰極管の高電圧印加端子側に、前記各冷陰極管毎に配置され、
隣り合う前記冷陰極管が、前記高電圧印加端子と低電圧印加端子とが近接するように交互に配置されている
ことを特徴とする面光源装置。
【請求項２】
放射線源から放出される放射線を被写体を介して蓄積性蛍光体シートに照射することで、前記蓄積性蛍光体シートに放射線画像情報を蓄積記録した後、前記蓄積性蛍光体シートに励起光を照射することで得られる輝尽発光光を光電変換素子によって電気信号として読み取り、次いで、前記蓄積性蛍光体シートの全面に消去光を照射して前記蓄積性蛍光体シートに残存する放射線エネルギーを放出させる放射線画像情報記録読取装置において、
前記消去光を照射する面光源装置を備え、
該面光源装置が、
インバータ回路を介して一方の端子に高電圧が印加され、他方の端子に低電圧が印加される冷陰極管が、複数本平行に並べられて高周波点灯される面光源装置であって、前記インバータ回路が、前記各冷陰極管の高電圧印加端子側に、前記各冷陰極管毎に配置され、隣り合う前記冷陰極管が、前記高電圧印加端子と低電圧印加端子とが近接するように交互に配置されている
ことを特徴とする面光源装置を有する放射線画像情報記録読取装置。
【発明の詳細な説明】
【０００１】
【発明の属する技術分野】
本発明は、インバータ回路を介して一方の端子に高電圧が印加され、他方の端子に低電圧が印加される冷陰極管が高周波点灯される面光源装置および該面光源装置を有する放射線画像情報記録読取装置に関する。
【０００２】
【従来の技術】
従来より、放射線（Ｘ線、α線、β線、γ線、電子線、紫外線等）を照射すると、この放射線エネルギーの一部が蓄積され、その後、可視光等の励起光を照射すると蓄積されたエネルギー強度に応じて輝尽発光を示す蓄積性蛍光体（輝尽性蛍光体）を利用して、人体等の被写体の放射線画像情報をシート状の蓄積性蛍光体層を備えてなる蓄積性蛍光体シートに一旦記録し、この蓄積性蛍光体シートにレーザ光等の励起光を照射して得られる輝尽発光光を光電的に読み取って得られた画像信号を写真感光材料等の記録媒体、あるいはＣＲＴ等の表示装置に被写体の放射線画像を可視像として出力させる放射線画像情報記録読取装置、いわゆるＣＲ（Computed Radiography）装置が知られている。
【０００３】
この放射線画像情報記録読取装置では、前記蓄積性蛍光体シートを繰り返し使用するため、放射線の照射によって記録された人体等の被写体の放射線画像情報を消去する消去部を有している。
【０００４】
従来の消去部の構成は、たとえば２〜３本の蛍光灯が比較的に広い間隔で平行に固定配置された光源とされ、この消去部の光源に対して、蓄積性蛍光体シートが前記蛍光灯の長さ方向と直交する方向に搬送されることで、蛍光灯からの照明光により前記蓄積性蛍光体シートの全面の放射線画像情報が消去されるようになっている。
【０００５】
ところで、本発明者等は、放射線画像情報記録読取装置の処理スループットを向上させるため、この消去部での消去時間を短くすることを考えている。
【０００６】
消去時間を短くするために、蛍光灯を多数平行に密に並べ、前記蓄積性蛍光体シートの全面に消去光を一斉に照射するような構成とすれば、蓄積性蛍光体シートを消去部に対して搬送することなく、短時間で消去することができると考えられる。
【０００７】
そして、点灯時間も短時間とするため、蛍光灯としては冷陰極管を用い、また、照度を上げるために、蛍光灯の駆動回路としては、インバータ回路を用いることが考えられる。この場合、インバータ回路は、１本の蛍光灯に対応して配置される。
【０００８】
ところが、複数の蛍光灯を近接配置させてインバータ回路により点灯させた場合、蛍光灯にちらつきが発生するという新たな問題が起こった。蛍光灯にちらつきが発生すると、蓄積性蛍光体シートに対する消去にむらが発生し、そのため、結局長い時間照射しなければ消去することができない。
【０００９】
この蛍光灯のちらつきを解決する技術として、例えば、特許文献１に開示された技術がある。この技術では、蛍光灯を高周波点灯させるインバータ回路の発振周波数および位相を各インバータ回路間で交流電源の整数倍の周波数に同期させることにより、ちらつきの発生が抑制されるとしている。
【００１０】
【特許文献１】
特開平５−１５２０８３号公報（段落［０００６］）
【００１１】
【発明が解決しようとする課題】
しかしながら、各インバータ回路毎に、交流電源の整数倍の周波数に同期させる同期回路を設けなければならず、部品コストおよび部品を実装するプリント基板の面積が大きくなるという問題がある。
【００１２】
また、この従来技術では、電圧制御可変発振器の仕様のばらつき等により、全てのインバータ回路を正確に同期させることが難しいという問題もある。
【００１３】
本発明は、上記の課題を考慮してなされたものであり、複数の冷陰極管の点灯時におけるちらつきの発生を防止するとともに同期回路を不要とし、簡素かつ廉価な構成の面光源装置および該面光源装置を有する放射線画像情報記録読取装置を提供することを目的とする。
【００１４】
【課題を解決するための手段】
本発明では、平行に近接配置したインバータ回路を介して駆動される冷陰極管におけるちらつきの原因が、冷陰極管の高電圧印加端子間の静電容量（寄生浮遊容量）に起因し、隣り合う高電圧印加端子間で、異なる周波数、位相で冷陰極管を点灯させたとき、該冷陰極管相互の高電圧印加端子間に電位差が発生し、冷陰極管に流れる電流のバランスが崩れ、ちらつきが発生するものと推定している。
【００１５】
そして、本発明は、インバータ回路を介して一方の端子に高電圧が印加され、他方の端子に低電圧が印加される冷陰極管が、複数本平行に並べられて高周波点灯される面光源装置において、前記インバータ回路が、前記各冷陰極管の高電圧印加端子側に、前記各冷陰極管毎に配置され、隣り合う前記冷陰極管が、前記高電圧印加端子と低電圧印加端子とが近接するように交互に配置されている
ことを特徴とする（請求項１記載の発明）。
【００１６】
この発明によれば、それぞれインバータ回路により駆動される複数の冷陰極管について、隣り合う冷陰極管の高電圧印加端子と低電圧印加端子が対向するように配置されているので、静電容量が存在していても、高電圧印加端子側から隣の低電圧印加端子側への干渉はあるもののその影響はきわめて小さく、ちらつきを生じさせるには至らない。
【００１８】
この発明によれば、インバータ回路の高圧側から冷陰極管の高電圧印加端子までの長さが短くなるので寄生浮遊容量（静電容量）が小さくなり、この静電容量に起因する管電流の減少を抑制することができる。
【００１９】
さらに、本発明は、放射線源から放出される放射線を被写体を介して蓄積性蛍光体シートに照射することで、前記蓄積性蛍光体シートに放射線画像情報を蓄積記録した後、前記蓄積性蛍光体シートに励起光を照射することで得られる輝尽発光光を光電変換素子によって電気信号として読み取り、次いで、前記蓄積性蛍光体シートの全面に消去光を照射して前記蓄積性蛍光体シートに残存する放射線エネルギーを放出させる放射線画像情報記録読取装置において、
前記消去光を照射する面光源装置を備え、
該面光源装置が、
インバータ回路を介して一方の端子に高電圧が印加され、他方の端子に低電圧が印加される冷陰極管が、複数本平行に並べられて高周波点灯される面光源装置であって、前記インバータ回路が、前記各冷陰極管の高電圧印加端子側に、前記各冷陰極管毎に配置され、隣り合う前記冷陰極管が、前記高電圧印加端子と低電圧印加端子とが近接するように交互に配置されている
ことを特徴とする（請求項２記載の発明）。
【００２１】
このように本発明は、放射線画像情報記録読取装置における消去光を照射する面光源装置に応用することができ、冷陰極管のちらつきおよび輝度低下を抑制することができる。このため、前記蓄積性蛍光体シートに対する消去光の照射が均一となり、消去に必要な光量が十分に得られ、結果として残留放射線の消去を確実かつ短時間に行うことができる。
【００２２】
【発明の実施の形態】
本発明に係る面光源装置および該面光源装置を有する放射線画像情報記録読取装置について、好適な実施の形態を挙げ、添付の図面を参照しながら以下詳細に説明する。
【００２３】
図１は、本実施の形態に係る放射線画像情報記録読取装置１０の概略構成を示す。放射線画像情報記録読取装置１０は、基本的には、人体等の被写体１８の放射線画像を蓄積性蛍光体シートＰに一旦記録する放射線記録部１２と、前記蓄積性蛍光体シートＰにレーザ等の励起光Ｌを照射し、放射線の強度に応じて発光する輝尽発光光Ｒを光電的に読み取る読取部１４と、蓄積性蛍光体シートＰに残存している放射線エネルギーを放出させる消去部（面光源装置）１６とから構成される。
【００２４】
放射線記録部１２は、基本的には、放射線Ｓを発生させる放射線源２０と、人体等の被写体１８を所定位置に保持する撮影台２２と、蓄積性蛍光体シートＰとから構成される。撮影台２２の後方には散乱線除去用のグリッド２４が配されており、該グリッド２４のさらに後方には蓄積性蛍光体シートＰが所定の撮影位置に固定保持されている。撮影台２２は放射線透過性を有するものとなっている。
【００２５】
読取部１４は、基本的には、蓄積性蛍光体シートＰから放射線画像情報を読み取る読取ユニット３０と、読取ユニット３０を上下方向に変位させる読取ユニット駆動部３２とから構成される。
【００２６】
読取ユニット３０は、ライン光源（線状光源）３６と、集光レンズアレイ３８と、ＣＣＤラインセンサ４０とから構成される。
【００２７】
ライン光源３６は、図示しないレーザダイオードアレイおよびシリンドリカルレンズから構成される。レーザダイオードアレイは、発振波長が例えば６５０〜６９０ｎｍ帯にある複数のレーザダイオードを一列に並べたものである。各レーザダイオードから発せられた発散光状態の励起光は、シリンドリカルレンズにより一方向に集光されてファンビームとなり、それらのファンビームが合成されてなる励起光Ｌが蓄積性蛍光体シートＰを線状に照射する。
【００２８】
集光レンズアレイ３８は、図示しない複数の屈折率分布型レンズを蓄積性蛍光体シートＰ上において、励起光Ｌが照射される幅方向（Ｘ方向）と平行に並べたものである。各屈折率分布型レンズは、蓄積性蛍光体シートＰから発せられる輝尽発光光Ｒを集光し、ＣＣＤラインセンサ４０に導く。
【００２９】
ＣＣＤラインセンサ４０は、図示しない複数のセンサチップ（光電変換素子）を蓄積性蛍光体シートＰ上において、励起光Ｌが照射される幅方向（Ｘ方向）と平行に並べたものである。なお、蓄積性蛍光体シートＰの幅が広い場合は、蓄積性蛍光体シートＰの幅方向（Ｘ方向）全域を読み取れるように、幅方向（Ｘ方向）に対してＣＣＤラインセンサ４０を複数個連ねるような構成にしてもよい。
【００３０】
ＣＣＤラインセンサ４０と集光レンズアレイ３８の間には、蓄積性蛍光体シートＰで反射した励起光Ｌの進入を防ぐフィルタ（図示しない）が配される。
【００３１】
読取ユニット駆動部３２は、放射線画像情報記録読取装置１０内において上下方向に設けられたボールネジ３４を有し、該ボールネジ３４を回転させることにより、ボールネジ３４に噛合する読取ユニット３０を上下方向に変位可能とする。読取ユニット３０は読み取り時以外は、図１の２点鎖線で示すホームポジションに待機している。
【００３２】
消去部１６は、蓄積性蛍光体シートＰに消去光Ｑを照射して、該蓄積性蛍光体シートＰに残存している放射線エネルギーを放出させるものであり、蓄積性蛍光体シートＰに対して読取部１４を挟んで対向して配される。消去部１６は、基本的には、本体部４８と、消去光Ｑの光源としての複数の冷陰極管４２ａ〜４２ｎと、冷陰極管４２ａ〜４２ｎを点灯させるインバータ回路５２ａ〜５２ｎと、インバータ回路５２ａ〜５２ｎの点灯制御を行う制御部８０と、インバータ回路５２ａ〜５２ｎにＤＣ電源を供給する図示しないＤＣ電源部とから構成される。
【００３３】
ここで、消去部１６は、複数の冷陰極管４２ａ〜４２ｎが平行にかつ、その長さ方向が紙面と直交する方向に並べられて配置された面光源装置の構成とされている。
【００３４】
本体部４８は、冷陰極管４２ａ〜４２ｎを収容する金属性のケーシングである反射板５１と、反射板５１の読取部１４側の開口部分に配設される重元素含有フィルタ４６とからなる。
【００３５】
反射板５１は、冷陰極管４２ａ〜４２ｎの発光光を蓄積性蛍光体シートＰ方向に反射させることにより、消去光Ｑの光量を増加させるものである。
【００３６】
重元素含有フィルタ４６は、消去光Ｑを透過させ、放射線Ｓを吸収する特性を有している。したがって、放射線記録時には、この重元素含有フィルタ４６が蓄積性蛍光体シートＰを透過した放射線Ｓを吸収するため、蓄積性蛍光体シートＰを透過した放射線Ｓが放射線画像情報記録読取装置１０の内部で散乱し、再び蓄積性蛍光体シートＰに入射するバック散乱を防止することができ、バック散乱によって発生するかぶり、アーティファクト等を防止することができる。
【００３７】
また、この重元素含有フィルタ４６は、ＵＶ光より短い波長成分を除去する特性を備えているため、残留放射線画像情報の消去時には、蓄積性蛍光体シートＰ上に新たな放射線エネルギーが蓄積されることを防止して、消去部１６の消去効率を向上させることができる。
【００３８】
重元素含有フィルタ４６としては、鉛含有アクリルや鉛ガラス等を挙げることができる。
【００３９】
反射板５１により構成される本体部４８のケーシング内には、蓄積性蛍光体シートＰの幅方向（Ｘ方向）以上の長さを有する複数の冷陰極管４２ａ〜４２ｎが、蓄積性蛍光体シートＰの長さ方向（Ｙ方向）に渡って、蓄積性蛍光体シートＰ全域に消去光Ｑが照射されるように配されている。冷陰極管４２ａ〜４２ｎの具体的な配置については後述する。
【００４０】
反射板５１の外部には冷陰極管４２ａ〜４２ｎを点灯させるインバータ回路５２ａ〜５２ｎが固定保持される。冷陰極管４２ａ〜４２ｎとインバータ回路５２ａ〜５２ｎとは図示しない導線を介して電気的に接続されている。
【００４１】
冷陰極管４２ａ〜４２ｎの管内壁には蛍光体が塗布されている。冷陰極管４２ａ〜４２ｎの両端には電極および端子が取り付けられ、アルゴン（Ａｒ）ガスと適量の水銀が封入されている。冷陰極はニッケル、ステンレス、あるいは鉄等の金属からなり、板状、棒状、あるいは筒状の形状を呈している。電極間に高電圧を印加すると、管内に残存する電子が陽極に引かれて高速に移動する間にＡｒと衝突する。この衝突によって電離増殖した陽イオンが陰極に衝突し、陰極から２次電子をたたき出して放電が開始される。放電によって流れる電子は水銀原子と衝突し、励起した水銀が紫外線を放射する。この紫外線が蛍光体を励起し、蛍光体固有の可視光線を発光する。
【００４２】
インバータ回路５２ａ〜５２ｎは図示しないＤＣ電源部から受けた直流入力、たとえば＋２４ボルトの直流入力をインバータ回路５２ａ〜５２ｎ内部のトランジスタ等からなる発振回路によって高周波交流に変換する。この高周波交流への変換後の周波数は、数百Ｈｚ〜１００ＫＨｚ程度である。
【００４３】
図２は、消去部１６の制御回路ブロック図である。
【００４４】
消去部１６を構成する各冷陰極管４２ａ〜４２ｎの両端の外部に露出した外部端子中、一方の外部端子（後述するように高電圧が印加される端子であるので、以下、高電圧印加端子ともいう。）４１は、高電圧側の導線６２を介して各インバータ回路５２ａ〜５２ｎの高電圧端子５４に接続され、他方の外部端子（後述するように低電圧が印加される端子であるので、以下、低電圧印加端子ともいう。）４３は、低電圧側の導線６４を介してインバータ回路５２ａ〜５２ｎの低電圧端子５６に接続される。ここで、インバータ回路５２ａ〜５２ｎの高電圧端子５４での端子電圧は、たとえば１０００Ｖｒｍｓ近傍の高周波交流電圧とされ、低電圧端子５６での端子電圧は、たとえば接地電位とされる。
【００４５】
インバータ回路５２ａ〜５２ｎは、このインバータ回路５２ａ〜５２ｎをオンオフ制御する制御部８０とも接続される。制御部８０は各インバータ回路５２ａ〜５２ｎに対して冷陰極管４２ａ〜４２ｎの点灯開始や終了を指示する点灯制御信号を出力したり、冷陰極管４２ａ〜４２ｎの不点灯を確認するための不点灯信号を入力する。
【００４６】
また、インバータ回路５２ａ〜５２ｎには、点灯開始信号を受信すると可視光を発光するＬＥＤ９０ａ〜９０ｎが接続されている。このＬＥＤ９０ａ〜９０ｎは、保守員等が消去部１６の筐体の外部から目視して、インバータ回路５２ａ〜５２ｎが点灯開始信号を正常に受信しているかどうか等の放射線画像情報記録読取装置１０の動作確認用光源としての役目を果たすとともに、冷陰極管４２ａ〜４２ｎの始動性を向上させるための補助光源としても利用することができる。
【００４７】
なお、始動性を向上させるための補助光源としては、レーザーダイオードアレイからなるライン光源３６を利用することもできる。
【００４８】
図３は、冷陰極管４２ａ〜４２ｎとインバータ回路５２ａ〜５２ｎとの詳細配置を示す消去部１６の正面図である。消去部１６は冷陰極管４２ａ〜４２ｎを有し、上述したように、各冷陰極管４２ａ〜４２ｎは、平行に配置され、両端の外部端子４１、４３はそれぞれ互いに平行なＸ１線およびＸ２線上に揃って配置されている。また、隣り合う冷陰極管、たとえば冷陰極管４２ｂに隣り合う冷陰極管４２ａと４２ｃは、冷陰極管４２ｂに対して高電圧印加端子４１と低電圧印加端子４３とが対向するように配置されている。
【００４９】
図４は、消去部１６の断面図である。冷陰極管４２ａ〜４２ｎの間隔をｔ１、最上部に配設される冷陰極管４２ａおよび最下部に配設される冷陰極管４２ｎと上下方向の反射板５１との間隔をｔ２、冷陰極管４２ａ〜４２ｎと重元素含有フィルタ４６に対向する反射板５１との間隔をｔ３、冷陰極管４２ａ〜４２ｎの半径をｒとすると、冷陰極管４２ａ〜４２ｎの管電流の相互の影響を抑制すべく、ｔ１＞ｒ、ｔ２＞ｒ、ｔ３＞ｒとなるように設定する。
【００５０】
本実施形態では、隣り合う冷陰極管４２ａと４２ｂとの間隔ｔ１、冷陰極管４２ｂと４２ｃとの間隔ｔ１、…、冷陰極管４２ｍと冷陰極管４２ｎとの間隔ｔ１は、両端部側（冷陰極管４２ａ、４２ｂ間および、冷陰極管４２ｍ、４２ｎ間）で最小の間隔である約１０ｍｍピッチとされ、中央側ではそれ以上の広い間隔となっている。冷陰極管４２ａ〜４２ｎは、半径ｒが約１．５ｍｍ、長さが約５００ｍｍのものを用いている。冷陰極管４２ａ〜４２ｎの半径ｒが１．２ｍｍのとき、最上部および最下部に配設される冷陰極管４２ａ、４２ｎと反射板５１との間隔ｔ２、ｔ３が１．２ｍｍの場合、出力される消去光Ｑにちらつきが生じ、間隔ｔ２、ｔ３を２ｍｍとした場合には、ちらつきが生じなかった。また、冷陰極管４２ａ〜４２ｎの半径ｒが１．２ｍｍのとき、冷陰極管４２ａ〜４２ｎの間隔ｔ１を１ｍｍとした場合、消去光Ｑにちらつきが生じ、間隔ｔ１を１．６ｍｍとした場合には、ちらつきが生じなかった。なお、冷陰極管４２ａ〜４２ｎの数、大きさ、配置間隔は、蓄積性蛍光体シートＰの大きさ、消去時間、仕様等に応じて変更することができる。
【００５１】
本体部４８の反射板５１の裏面においては、各冷陰極管４２ａ〜４２ｎの裏面側に対応してインバータ回路５２ａ〜５２ｎが配されている。
【００５２】
インバータ回路５２ａ〜５２ｎは、それぞれ冷陰極管４２ａ〜４２ｎの高電圧印加端子４１の近傍に配置され、かつ高電圧端子５４と高電圧印加端子４１との間の物理的な距離が最短の長さとなるように配置される。
【００５３】
この場合、インバータ回路５２ａ〜５２ｎの高電圧端子５４と冷陰極管４２ａ〜４２ｎの高電圧印加端子４１とは、それぞれ導線６２を介して電気的に接続される。その一方、インバータ回路５２ａ〜５２ｎの低電圧端子５６と冷陰極管４２ａ〜４２ｎの低電圧印加端子４３とは、それぞれ導線６４を介して電気的に接続される。
【００５４】
このように構成される消去部１６の各冷陰極管４２ａ〜４２ｎを点灯させることにより、各冷陰極管４２ａ〜４２ｎからちらつきのない高輝度の消去光Ｑが発光する。この消去光Ｑにより、短時間に蓄積性蛍光体シートＰに残存する放射線エネルギーを放出させることができる。
【００５５】
結果として、この実施の形態に係る放射線画像情報記録読取装置１０の処理スループットを向上させることができる。
【００５６】
また、従来技術の項で示した同期回路が存在しない構成の消去部１６により、ちらつきのない消去光Ｑを発光させることができるので、簡素かつ廉価な構成の消去部１６を実現することができる。
【００５７】
このように、上述した実施の形態によれば、それぞれインバータ回路５２ａ〜５２ｎにより駆動される複数の冷陰極管４２ａ〜４２ｎについて、隣り合う冷陰極管、たとえば冷陰極管４２ａと４２ｂあるいは冷陰極管４２ｂと４２ｃ等の高電圧印加端子４１と低電圧印加端子４３とが対向するように配置している。このようにすれば、高電圧印加端子４１同士が対向配置されることがなくなる。このため、高電圧印加端子４１と低電圧印加端子４３との間に静電容量（寄生浮遊容量）が存在していても、高電圧印加端子４１から隣の低電圧印加端子４３への高周波信号の干渉の影響がきわめて小さく、全ての冷陰極管４２ａ〜４２ｎの管電流はほとんど変化しなくなり、結果として高周波信号の干渉に基づく冷陰極管４２ａ〜４２ｎのちらつきを実用上無視できるような小さな量に抑制することができる。
【００５８】
また、冷陰極管４２ａ〜４２ｎの高電圧印加端子４１にインバータ回路５２ａ〜５２ｎの高電圧端子５４から高電圧を供給する導線６２の導線長を短くしているため、高電圧供給線である導線６２に対する寄生浮遊容量が小さくなり、この寄生浮遊容量を通じて外部に流れる損失分としての高周波電流が少なくなり、結果として、冷陰極管４２ａ〜４２ｎの管電流の減少が抑えられる。したがって、管電流が減少することによって生じる冷陰極管４２ａ〜４２ｎの輝度低下も抑制することができ、その分、高輝度とすることができる。輝度が所定輝度でよい場合には、消去部１６、ひいては放射線画像情報記録読取装置１０の消費電力を低減することができる。
【００５９】
【発明の効果】
本発明によれば、冷陰極管の高電圧印加端子間における周波数の干渉を抑制できるので、複数の冷陰極管が点灯しているときのちらつきの発生を防止することができる。
【００６０】
また、従来技術の項で示した同期回路が不要となるので、簡素かつ安価な構成とすることができる。
【図面の簡単な説明】
【図１】本実施の形態の放射線画像情報記録読取装置の概略構成図である。
【図２】消去部の制御回路ブロック図である。
【図３】冷陰極管とインバータ回路の詳細配置を示す消去部の正面図である。
【図４】消去部の断面図である。
【符号の説明】
１０…放射線画像情報記録読取装置    １２…放射線記録部
１４…読取部                        １６…消去部
１８…被写体                        ２０…放射線源
３０…読取ユニット                  ３６…ライン光源
３８…集光レンズアレイ              ４０…ＣＣＤラインセンサ
４１…高電圧印加端子                ４２ａ〜４２ｎ…冷陰極管
４３…低電圧印加端子                ４６…重元素含有フィルタ
４８…本体部                        ５１…反射板
５２ａ〜５２ｎ…インバータ回路      ５４…高電圧端子
５６…低電圧端子                    ６２、６４…導線
８０…制御部                        ９０ａ〜９０ｎ…ＬＥＤ
【図１】
0004081331.tif 000002
【図２】
0004081331.tif 000003
【図３】
0004081331.tif 000004
【図４】
0004081331.tif 000005